(57)【要約】【課題】解錠不能となる頻度を軽減しつつセキュリティ性を高め得る施解錠システムを提供する。【解決手段】施解錠装置２２において、携帯端末４０からの施錠要求に応じて設定された暗証番号を用いて電気錠２１ａが施錠状態になる。この際、上記暗証番号がサーバ３０から受信した暗号鍵を用いて暗号化されて暗証番号取得用コードＣが生成され、この暗証番号取得用コードＣがユーザＩＤに関連付けられて記憶部２４に記憶される。また、解錠要求を受けた携帯端末４０からユーザＩＤが取得されると、このユーザＩＤに関連付けられて記憶される暗証番号取得用コードＣが表示部２５に表示される。そして、携帯端末４０では、撮像した暗証番号取得用コードＣを記憶部４２に記憶される復号鍵を用いてデコードすることで暗証番号が取得されると、この暗証番号が表示部４４に表示される。【選択図】図９
2014227677.tif 000002
【特許請求の範囲】
【請求項１】
電気錠を施錠状態にする施錠手段と暗証番号の入力操作に応じて前記電気錠を解錠状態にする解錠手段とを有する施解錠装置と、
前記施解錠装置を利用する利用者が携帯する携帯端末と、
前記暗証番号を暗号化した暗証番号取得用コードの生成時および前記暗証番号取得用コードのデコード時に用いられる暗号鍵を管理するサーバと、
を備える施解錠システムであって、
前記サーバは、
前記施解錠装置および前記携帯端末と通信するサーバ側通信手段と、
前記利用者からの要求に応じて、当該利用者を特定する特定情報および前記暗号鍵を前記サーバ側通信手段を介して前記携帯端末に送信するサーバ側情報制御手段と、
前記携帯端末に送信された前記特定情報および前記暗号鍵が関連付けられて記憶されるサーバ側記憶手段と、を備え、
前記サーバ側情報制御手段は、前記サーバ側通信手段を介して、前記施解錠装置から前記特定情報を受信するとこの受信した特定情報に関連付けられて前記サーバ側記憶手段に記憶される前記暗号鍵を前記施解錠装置に送信し、
前記携帯端末は、
前記施解錠装置および前記サーバと通信する端末側通信手段と、
前記端末側通信手段を介して前記サーバから受信した前記暗号鍵および前記特定情報が記憶される端末側記憶手段と、
施錠要求時または解錠要求時に前記端末側記憶手段に記憶される前記特定情報を前記端末側通信手段を介して前記施解錠装置に送信する端末側情報制御手段と、
前記暗証番号取得用コードを撮像する撮像手段と、
前記撮像手段により撮像された前記暗証番号取得用コードを前記端末側記憶手段に記憶される前記復号鍵を用いてデコードすることで前記暗証番号を取得するデコード手段と、
前記デコード手段により取得された前記暗証番号を表示する端末側表示手段と、を備え、
前記施解錠装置は、
前記サーバおよび前記携帯端末と通信する装置側通信手段と、
前記装置側通信手段を介して、前記施錠要求を受けた前記携帯端末から取得した前記特定情報を前記サーバに送信しこの送信に応じて前記サーバから前記暗号鍵を受信する装置側情報制御手段と、
前記施錠要求に応じて前記暗証番号を設定する設定手段と、
前記設定手段により設定された前記暗証番号を前記サーバから受信した前記暗号鍵を用いて暗号化して前記暗証番号取得用コードを生成するコード生成手段と、
前記コード生成手段により生成された前記暗証番号取得用コードが前記特定情報に関連付けられて記憶される装置側記憶手段と、
前記装置側通信手段を介して前記解錠要求を受けた前記携帯端末から前記特定情報が取得されると、この特定情報に関連付けられて前記装置側記憶手段に記憶される前記暗証番号取得用コードを表示する装置側表示手段と、
前記暗証番号を入力するための入力手段と、を備え、
前記施錠手段は、前記設定手段により設定された前記暗証番号を用いて前記電気錠を施錠状態にし、
前記解錠手段は、前記入力手段の入力操作に応じて入力された暗証番号が前記装置側表示手段に表示された前記暗証番号取得用コードから取得される暗証番号に一致する場合に前記電気錠を解錠状態にすることを特徴とする施解錠システム。
【請求項２】
前記設定手段は、前記暗証番号をランダムに設定することを特徴とする請求項１に記載の施解錠システム。
【発明の詳細な説明】
【技術分野】
【０００１】
本発明は、携帯端末を用いて電気錠を施解錠する施解錠システムに関するものである。
【背景技術】
【０００２】
従来、携帯端末を用いて電気錠を施解錠する施解錠システムに関する技術として、例えば、下記特許文献１に開示されるロッカーシステムが知られている。このロッカーシステムでは、格納したい格納庫に表示されているバーコードラベルがバーコードリーダにより読み取られると、読み取ったバーコード情報が施錠または解錠の指令とともに鍵管理装置に送信される。そして、このバーコード情報に基づいて鍵管理装置により格納庫の位置が特定されると、錠付き戸棚のロッカー管理装置へ該当する格納庫の電気錠を施錠または解錠の指令が送信される。
【０００３】
また、下記特許文献２に開示されるロッカーシステムでは、ロッカー管理装置に対してロッカーの使用要求が入力された後に暗証番号が入力されると、対応する個別箱が施錠される。そして、入力された暗証番号、ロッカー識別情報、個別箱識別情報等が暗号化されて生成された二次元バーコード情報と該当の個別箱識別情報とが印刷される。その後、個別箱を解錠する場合には、印刷された二次元バーコードをロッカー管理装置の読取部へかざして読み取らせた後に暗証番号を入力することで、個別箱が解錠される。
【先行技術文献】
【特許文献】
【０００４】
【特許文献１】特開２００３−１６６３７０号公報
【特許文献２】特開２００７−１８６９１８号公報
【発明の概要】
【発明が解決しようとする課題】
【０００５】
ところで、上記特許文献１に開示されるような情報コードを利用した施解錠システムでは情報コードを取得さえすれば誰でも施解錠できてしまうため、高いセキュリティ性が要求される施解錠システムには採用できないという問題がある。これに対し、上記特許文献２に開示されるような情報コードおよび暗証番号を利用した施解錠システムでは、情報コードおよび暗証番号の両方を保有している必要があり、施解錠システムのセキュリティ性を高めることができる。
【０００６】
しかしながら、利用者がバーコードおよび暗証番号の両方を保有する必要があるシステム構成では、バーコードを紛失等するか、または、暗証番号を失念等してしまうと、解錠不能となってしまうという問題が生じる。
【０００７】
本発明は、上述した課題を解決するためになされたものであり、その目的とするところは、解錠不能となる頻度を軽減しつつセキュリティ性を高め得る施解錠システムを提供することにある。
【課題を解決するための手段】
【０００８】
上記目的を達成するため、特許請求の範囲の請求項１に記載の発明は、電気錠（２１ａ）を施錠状態にする施錠手段（２３）と暗証番号の入力操作に応じて前記電気錠を解錠状態にする解錠手段（２３）とを有する施解錠装置（２２）と、前記施解錠装置を利用する利用者が携帯する携帯端末（４０）と、前記暗証番号を暗号化した暗証番号取得用コード（Ｃ）の生成時および前記暗証番号取得用コードのデコード時に用いられる暗号鍵を管理するサーバ（３０）と、を備える施解錠システム（１０）であって、前記サーバは、前記施解錠装置および前記携帯端末と通信するサーバ側通信手段（３５）と、前記利用者からの要求に応じて、当該利用者を特定する特定情報および前記暗号鍵を前記サーバ側通信手段を介して前記携帯端末に送信するサーバ側情報制御手段（３１）と、前記携帯端末に送信された前記特定情報および前記暗号鍵が関連付けられて記憶されるサーバ側記憶手段（３２）と、を備え、前記サーバ側情報制御手段は、前記サーバ側通信手段を介して、前記施解錠装置から前記特定情報を受信するとこの受信した特定情報に関連付けられて前記サーバ側記憶手段に記憶される前記暗号鍵を前記施解錠装置に送信し、前記携帯端末は、前記施解錠装置および前記サーバと通信する端末側通信手段（４６）と、前記端末側通信手段を介して前記サーバから受信した前記暗号鍵および前記特定情報が記憶される端末側記憶手段（４２）と、施錠要求時または解錠要求時に前記端末側記憶手段に記憶される前記特定情報を前記端末側通信手段を介して前記施解錠装置に送信する端末側情報制御手段（４１）と、前記暗証番号取得用コードを撮像する撮像手段（４３）と、前記撮像手段により撮像された前記暗証番号取得用コードを前記端末側記憶手段に記憶される前記復号鍵を用いてデコードすることで前記暗証番号を取得するデコード手段（４１）と、前記デコード手段により取得された前記暗証番号を表示する端末側表示手段（４４）と、を備え、前記施解錠装置は、前記サーバおよび前記携帯端末と通信する装置側通信手段（２７）と、前記装置側通信手段を介して、前記施錠要求を受けた前記携帯端末から取得した前記特定情報を前記サーバに送信しこの送信に応じて前記サーバから前記暗号鍵を受信する装置側情報制御手段（２３）と、前記施錠要求に応じて前記暗証番号を設定する設定手段（２３）と、前記設定手段により設定された前記暗証番号を前記サーバから受信した前記暗号鍵を用いて暗号化して前記暗証番号取得用コードを生成するコード生成手段（２３）と、前記コード生成手段により生成された前記暗証番号取得用コードが前記特定情報に関連付けられて記憶される装置側記憶手段（２４）と、前記装置側通信手段を介して前記解錠要求を受けた前記携帯端末から前記特定情報が取得されると、この特定情報に関連付けられて前記装置側記憶手段に記憶される前記暗証番号取得用コードを表示する装置側表示手段（２５）と、前記暗証番号を入力するための入力手段（２６）と、を備え、前記施錠手段は、前記設定手段により設定された前記暗証番号を用いて前記電気錠を施錠状態にし、前記解錠手段は、前記入力手段の入力操作に応じて入力された暗証番号が前記装置側表示手段に表示された前記暗証番号取得用コードから取得される暗証番号に一致する場合に前記電気錠を解錠状態にすることを特徴とする。
なお、上記各括弧内の符号は、後述する実施形態に記載の具体的手段との対応関係を示すものである。
【発明の効果】
【０００９】
請求項１の発明では、施解錠装置において、携帯端末からの施錠要求に応じて設定された暗証番号を用いて電気錠が施錠状態になる。この際、上記暗証番号がサーバから受信した暗号鍵を用いて暗号化されて暗証番号取得用コードが生成され、この暗証番号取得用コードが特定情報に関連付けられて記憶される。また、解錠要求を受けた携帯端末から特定情報が取得されると、この特定情報に関連付けられて記憶される暗証番号取得用コードが表示される。そして、携帯端末では、撮像した暗証番号取得用コードを端末側記憶手段に記憶される復号鍵を用いてデコードすることで暗証番号が取得されると、この暗証番号が端末側表示手段に表示される。
【００１０】
これにより、利用者は、携帯端末の端末側表示手段に表示された暗証番号を施解錠装置に対して入力手段の入力操作に応じて入力することで、電気錠を解錠状態にすることができる。特に、利用者が暗証番号を覚えておく必要や暗証番号取得用コードのような情報コードを所持する必要をなくすことができる。したがって、解錠不能となる頻度を軽減しつつセキュリティ性を高めることができる。
【００１１】
請求項２の発明では、設定手段は、暗証番号をランダムに設定する。このようにセキュリティ性を高めるために暗証番号をランダムに設定しても利用者が暗証番号を覚えておく必要がないため、解錠不能となる頻度を軽減しつつセキュリティ性をさらに高めることができる。
【図面の簡単な説明】
【００１２】
【図１】本実施形態に係る施解錠システムの構成を概略的に示す説明図である。
【図２】ロッカー装置の電気的構成を概略的に示すブロック図である。
【図３】サーバの電気的構成を概略的に示すブロック図である。
【図４】携帯端末の電気的構成を概略的に示すブロック図である。
【図５】利用者登録処理の流れを説明する説明図である。
【図６】利用者登録処理の流れを説明する説明図である。
【図７】施解錠装置による暗号鍵取得処理および施錠処理の流れを説明する説明図である。
【図８】施解錠装置による暗号鍵取得処理および施錠処理の流れを説明する説明図である。
【図９】施解錠装置による暗証番号取得用コード表示処理および解錠処理の流れを説明する説明図である。
【図１０】施解錠装置による暗証番号取得用コード表示処理および解錠処理の流れを説明する説明図である。
【発明を実施するための形態】
【００１３】
以下、本発明に係る施解錠システムを具現化した一実施形態について、図面を参照して説明する。図１は、本実施形態に係る施解錠システム１０の構成を概略的に示す説明図である。
図１に示す施解錠システム１０は、主として、ロッカー装置２０およびサーバ３０と、利用者により携帯される携帯端末４０とを備え、携帯端末４０を用いてロッカー装置２０を施解錠するシステムとして構成されている。
【００１４】
まず、ロッカー装置２０について図１および図２を用いて説明する。図２は、ロッカー装置２０の電気的構成を概略的に示すブロック図である。
図１および図２に示すように、ロッカー装置２０は、複数のロッカー２１と各ロッカー２１の施解錠状態を電気的に制御する施解錠装置２２とを備えている。各ロッカー２１の扉の内部には電気錠２１ａがそれぞれ配設されており、施解錠装置２２により各電気錠２１ａの施錠状態および解錠状態が制御されることで、ロッカー２１の施解錠が制御される。なお、図１では、便宜上、複数のロッカー２１のうちの一部を図示している。
【００１５】
施解錠装置２２は、図２に示すように、制御部２３、記憶部２４、表示部２５、操作部２６および通信部２７などを備えている。制御部２３は、マイコンを主体として構成されて、施解錠装置２２の全体的制御や各種演算を行うものであり、後述するように設定された暗証番号を用いてロッカー２１の電気錠２１ａを施錠状態にする施錠手段として機能するとともに、その設定された暗証番号が入力操作されることで電気錠２１ａを解錠状態にする解錠手段として機能する。また、制御部２３は、施錠要求時に暗号鍵取得処理を実行することでサーバ３０から暗号鍵を取得し、解錠要求時に暗証番号取得用コード表示処理を実行することでこの暗号鍵を用いて暗証番号を暗号化した暗証番号取得用コードＣを表示するように機能する。なお、制御部２３は、「装置側情報制御手段」の一例に相当し得る。
【００１６】
記憶部２４は、ＲＯＭ、ＲＡＭ、ＨＤＤ、不揮発性メモリなどの公知の記憶媒体によって構成されており、暗号鍵取得処理や暗証番号取得用コード表示処理のプログラム、或いはその他の様々なデータが記憶されるようになっている。なお、記憶部２４は、「装置側記憶手段」の一例に相当し得る。
【００１７】
表示部２５は、「装置側表示手段」の一例に相当し得るもので液晶表示器などから構成されており、制御部２３により制御されて暗証番号取得用コードＣを含めた所定の情報を表示する機能を有するものである。
【００１８】
操作部２６は、「入力手段」の一例に相当し得るもので複数のキー等により構成されており、制御部２３に対してキー入力操作に応じた情報を入力する機能を有するものである。
【００１９】
通信部２７は、「装置側通信手段」の一例に相当し得るもので外部機器との間で有線または無線にてデータ通信を行うための通信インタフェースとして構成されており、制御部２３と協働して通信処理を行う機能を有するものである。この通信部２７は、インターネット等のネットワークＮを介してサーバ３０と通信可能であって、かざし面２７ａにかざされた携帯端末４０と近距離無線通信可能となるように構成されている。なお、かざし面２７ａは、図１に示すように、表示部２５や操作部２６等の近傍に設けられている。
【００２０】
次に、サーバ３０について、図１および図３を用いて説明する。図３は、サーバ３０の電気的構成を概略的に示すブロック図である。
図１に示すように、サーバ３０は、上述した暗号鍵を管理するコンピュータとして構成されており、上記ネットワークＮを介してロッカー装置２０や携帯端末４０等と通信可能に接続されている。このサーバ３０は、図３に示すように、サーバ３０全体を統括的に制御する制御部３１、ＲＯＭ、ＲＡＭ、ＨＤＤ等からなる記憶部３２、マウスやキーボード等として構成される入力部３３、液晶モニタ等として構成される表示部３４、ＬＡＮインタフェース等として構成される通信部３５などを備えている。
【００２１】
そして、記憶部３２には、制御部３１により実行される利用者登録処理に応じて発行されるユーザＩＤおよび暗号鍵が関連付けられて記憶されるデータベース３２ａが格納されている。なお、制御部３１は、「サーバ側情報制御手段」の一例に相当し、記憶部３２は、「サーバ側記憶手段」の一例に相当し、通信部３５は、「サーバ側通信手段」の一例に相当し得る。
【００２２】
次に、携帯端末４０について図１および図４を用いて説明する。図４は、携帯端末４０の電気的構成を概略的に示すブロック図である。
図１および図４に示す携帯端末４０は、例えば、携帯電話であって、利用者登録処理時にサーバ３０から取得したアプリケーションプログラムをインストールすることで上述した暗証番号取得用コードＣを光学的に読み取り可能な光学的情報読取装置として構成される端末である。
【００２３】
図４に示すように、携帯端末４０は、ＣＰＵからなる制御部４１、ＲＯＭ，ＲＡＭ、不揮発性メモリなどからなる記憶部４２、受光センサ（例えば、Ｃ−ＭＯＳエリアセンサ、ＣＣＤエリアセンサ等）を備えたカメラとして構成される撮像部４３、液晶表示器などからなる表示部４４、各種操作キーによって構成される操作部４５、外部機器と通信を行う通信インタフェースとして構成される通信部４６などを備えている。なお、記憶部４２は、「端末側記憶手段」の一例に相当し、撮像部４３は、「撮像手段」の一例に相当し、表示部４４は「端末側表示手段」の一例に相当し得る。
【００２４】
特に、通信部４６は、「端末側通信手段」の一例に相当し得るもので、制御部４１により制御されて、図略のアンテナを介した公知の通信方式により、上記ネットワークＮを介したサーバ３０等との通信や施解錠装置２２との近距離無線通信を行うように構成されている。
【００２５】
このように構成される携帯端末４０は、操作部４５に対して所定の操作が入力されることで、制御部４１により制御される通信部４６から所定の信号が出力されて、施解錠装置２２に対して施錠を要求する施錠要求状態や解錠を要求する解錠要求状態となる。また、携帯端末４０は、操作部４５に対して所定の操作が入力されることで、制御部４１により読取処理が実行され、後述するように記憶部４２に記憶された暗号鍵を利用して撮像部４３により撮像された暗証番号取得用コードＣをデコード可能な読取状態となる。なお、制御部４１は「端末側情報制御手段」および「デコード手段」の一例に相当し得る。
【００２６】
次に、このように構成される施解錠システム１０において、サーバ３０による利用者登録処理と施解錠装置２２による施錠処理および解錠処理とについて、図５〜図１０を用いて説明する。なお、図５および図６は、利用者登録処理の流れを説明する説明図である。図７および図８は、施解錠装置２２による暗号鍵取得処理および施錠処理の流れを説明する説明図である。図９および図１０は、施解錠装置２２による暗証番号取得用コード表示処理および解錠処理の流れを説明する説明図である。
【００２７】
まず、利用者の要求に応じてサーバ３０の制御部３１にて実行される利用者登録処理の流れについて、図５および図６を用いて以下に説明する。
ロッカー装置２０の利用を希望する利用者は、携帯端末４０を用いてサーバ３０にアクセスし（図６のＳ１１）、個人情報などの所定の情報を送信することで利用者登録の要求を行う（図５および図６のＳ１２）。
【００２８】
サーバ３０では、携帯端末４０から利用者登録要求を受けると、制御部３１により利用者を特定する特定情報としてユーザＩＤが設定されるとともに暗号鍵が設定されて、ユーザＩＤおよび暗号鍵が関連付けられてデータベース３２ａに記憶されることで利用者登録がなされる（Ｓ１３）。例えば、図５に示す例では、「000001」および「000002」のユーザＩＤが発行済であり、「000003」のユーザＩＤを発行する場合、「000001」および「000002」の暗号鍵と異なる値の暗号鍵（図５では「33333333333333」）が設定されて、ユーザＩＤに関連付けられてデータベース３２ａに記憶される。なお、暗号鍵は、ユーザＩＤと無関係な値に設定されてもよいし、ユーザＩＤに関連する値に設定されてもよい。そして、制御部３１は、上述のように設定したユーザＩＤおよび暗号鍵を携帯端末４０に送信することでユーザＩＤおよび暗号鍵を発行する（Ｓ１４）。
【００２９】
携帯端末４０では、サーバ３０からユーザＩＤおよび暗号鍵を受信して取得すると（Ｓ１５）、これらユーザＩＤおよび暗号鍵が記憶部４２に記憶される。これにより、利用者登録が完了し、携帯端末４０を有する利用者は、いつでもロッカー装置２０を利用することができる状態となる。
【００３０】
次に、施解錠装置２２による暗号鍵取得処理および施錠処理について、図７および図８を用いて以下に説明する。
ロッカー装置３０の設置場所まで来た利用者は、複数のロッカー２１のうち利用するロッカー２１に荷物を入れてそのロッカーを特定するロッカー番号を操作部２６の入力操作に応じて入力する。そして、利用者は、操作部４５に対して所定の操作をすることで施錠要求状態となった携帯端末４０をかざし面２７ａにかざすことで施錠要求を行う（図８のＳ２１）。これにより、携帯端末４０の記憶部４２に記憶されているユーザＩＤが施錠要求とともに施解錠装置２２に送信される（図７および図８のＳ２２）。
【００３１】
施解錠装置２２では、携帯端末４０から施錠要求とともにユーザＩＤを受信すると、制御部２３により暗号鍵取得処理が開始され、ユーザＩＤがサーバ３０に送信される（Ｓ２３，Ｓ２４）。
【００３２】
サーバ３０では、施解錠装置２２からユーザＩＤを受信すると、制御部３１によりこのユーザＩＤに関連付けられた暗号鍵がデータベース３２ａから読み出されて施解錠装置２２に送信される（Ｓ２５，Ｓ２６）。例えば、図７に例示するように、受信したユーザＩＤが「000003」であれば、「33333333333333」の暗号鍵が施解錠装置２２に送信されることとなる。
【００３３】
施解錠装置２２では、サーバ３０から暗号鍵を受信して取得することで暗号鍵取得処理が終了する。次に、制御部２３により施錠処理が開始され、ロッカー２１を施錠するための暗証番号がランダムに設定された後、この設定された暗証番号を用いてロッカー２１の電気錠２１ａが施錠状態に制御される（Ｓ２７）。これにより、利用者が利用したロッカー２１が施錠されて、ロッカー２１内の荷物を取り出すことができなくなる。
【００３４】
続いて、上述のように施錠に用いた暗証番号が上記受信した暗号鍵を用いて暗号化されて、暗証番号取得用コードＣが生成される。このように生成された暗証番号取得用コードＣは、ユーザＩＤ、ロッカー番号および暗証番号等に関連付けられて記憶部２４に記憶される（Ｓ２８）。そして、施錠が完了したことを示す施錠完了通知が携帯端末４０に対してなされる（Ｓ２９）。なお、上記施錠処理を実行する制御部２３は、「設定手段」，「コード生成手段」の一例に相当し得る。
【００３５】
携帯端末４０では、施解錠装置２２から施錠完了通知を受けると、その旨が表示部４４に表示等されることで、利用者に対する施錠完了通知がなされる（Ｓ２９ａ）。この通知を受けた利用者は、そのロッカー２１の施錠が完了したことを把握することができる。
【００３６】
次に、施解錠装置２２による暗証番号取得用コード表示処理および解錠処理について、図９および図１０を用いて以下に説明する。
上述のように施錠したロッカー２１の解錠を望む利用者は、操作部４５に対して所定の操作をすることで解錠要求状態となった携帯端末４０をかざし面２７ａにかざすことで解錠要求を行う（図１０のＳ３１）。これにより、携帯端末４０の記憶部４２に記憶されているユーザＩＤが解錠要求とともに施解錠装置２２に送信される（図９および図１０のＳ３２）。
【００３７】
施解錠装置２２では、携帯端末４０から解錠要求とともにユーザＩＤを受信すると、制御部２３により暗証番号取得用コード表示処理がなされ、受信したユーザＩＤに関連付けられて記憶部２４に記憶されている暗証番号取得用コードＣが表示部２５に表示される（Ｓ３３，Ｓ３４）。その後、施解錠装置２２は、暗証番号の入力を待つ待機状態となる。
【００３８】
利用者は、表示部２５に表示された暗証番号取得用コードＣを、操作部４５に対して所定の操作をすることで読取状態となった携帯端末４０を用いて撮像する。これにより、撮像された暗証番号取得用コードＣが記憶部４２に記憶された暗号鍵を用いてデコードされて、暗証番号が取得される（Ｓ３５）。このように取得された暗証番号は、表示部４４に表示される（Ｓ３６）。例えば、暗証番号が「１２３４」に設定されている場合には、図９に示すように表示部４４に暗証番号として「１２３４」が表示される。このように表示された暗証番号を見た利用者は、施解錠装置２２の操作部２６を操作することで暗証番号を入力する（Ｓ３７）。
【００３９】
施解錠装置２２では、制御部２３により入力された暗証番号とユーザＩＤに関連付けられた暗証番号（暗証番号取得用コードＣを生成したときの暗証番号）とが照合され、両番号が一致すると、解錠処理が実施されてロッカー２１の電気錠２１ａが解錠状態に制御される（Ｓ３８）。これにより、利用者が利用したロッカー２１が解錠されて、利用者は、ロッカー２１内の荷物を取り出すことができる。
【００４０】
以上説明したように、本実施形態に係る施解錠システムでは、施解錠装置２２において、携帯端末４０からの施錠要求に応じて設定された暗証番号を用いて電気錠２１ａが施錠状態になる。この際、上記暗証番号がサーバ３０から受信した暗号鍵を用いて暗号化されて暗証番号取得用コードＣが生成され、この暗証番号取得用コードＣがユーザＩＤに関連付けられて記憶部２４に記憶される。また、解錠要求を受けた携帯端末４０からユーザＩＤが取得されると、このユーザＩＤに関連付けられて記憶される暗証番号取得用コードＣが表示部２５に表示される。そして、携帯端末４０では、撮像した暗証番号取得用コードＣを記憶部４２に記憶される復号鍵を用いてデコードすることで暗証番号が取得されると、この暗証番号が表示部４４に表示される。
【００４１】
これにより、利用者は、携帯端末４０の表示部４４に表示された暗証番号を施解錠装置２２に対して操作部２６の入力操作に応じて入力することで、電気錠２１ａを解錠状態にすることができる。特に、利用者が暗証番号を覚えておく必要や暗証番号取得用コードＣのような情報コードを所持する必要をなくすことができる。したがって、解錠不能となる頻度を軽減しつつセキュリティ性を高めることができる。
【００４２】
特に、本実施形態では、利用者は自分の手で暗証番号を入力するため、利用者に対して安心感を与えることができる。携帯端末やＩＣカード等をかざすだけで解錠されるロッカーでは簡単すぎて自らは何もしないため、かえって利用者に不安感を与えてしまう場合があるからである。
【００４３】
また、本実施形態では、撮像機能を有する一般の携帯電話を利用することができるため、専用のＩＣカード等をわざわざ用意して利用者に購入させる必要もない。特に、専用のＩＣカード等を利用する場合と異なり、利用履歴が残ることもないため、利用者は安心して本施解錠システム１０を利用することができる。
【００４４】
また、セキュリティ性を高めるために暗証番号をランダムに設定しても利用者が暗証番号を覚えておく必要がないため、解錠不能となる頻度を軽減しつつセキュリティ性をさらに高めることができる。
【００４５】
なお、制御部２３は、暗証番号をランダムに設定することに限らず、既定のルールに従って暗証番号を設定してもよい。
【００４６】
なお、本発明は上記実施形態に限定されるものではなく、例えば、以下のように具体化してもよい。
（１）施解錠装置２２では、施錠要求時に、暗証番号取得用コードＣが生成されることなく、暗号鍵がユーザＩＤ、ロッカー番号および暗証番号等に関連付けられて記憶部２４に記憶されてもよい。この場合には、解錠要求時に、記憶部２４に記憶されている暗号鍵を用いて暗証番号が暗号化されて暗証番号取得用コードＣが生成され、この生成された暗証番号取得用コードＣが表示部２５に表示されることなる。このようにしても、利用者が暗証番号を覚えておく必要や暗証番号取得用コードＣのような情報コードを所持する必要をなくすことができ、解錠不能となる頻度を軽減しつつセキュリティ性を高めることができる。
【００４７】
（２）暗証番号の秘匿性をさらに高めるため、上記暗証番号取得用コードＣとして一部非公開コードを採用することができる。この一部非公開コードは、公開領域と、暗号鍵を用いて復号可能に暗号化された情報が記録される非公開領域とを有する情報コードとして構成される。このため、非公開領域に暗証番号などの秘匿すべき情報を記録することで、暗号鍵を有しないコードリーダでは、公開領域に記録された情報しか読み取ることができず、他に情報が記録されていることさえ認識できないため、暗証番号等の秘匿性を高めることができる。
【００４８】
（３）施解錠装置２２では、施錠時に暗証番号を表示部２５に一時的に表示することで、操作部２６にロッカー番号とともに入力された暗証番号がそのロッカー２１の施錠時に用いた暗証番号に一致する場合に、その電気錠２１ａが解錠状態に制御されてもよい。これにより、暗証番号を覚えている利用者であれば携帯端末４０を使用しなくてもそのロッカー２１を解錠することができる。
【００４９】
（４）本発明に係る施解錠システムは、上述したようなロッカー装置３０を管理するシステムに採用されることに限らず、電気錠を施解錠する施解錠装置を管理するシステムであれば採用することができる。
【符号の説明】
【００５０】
１０…施解錠システム
２０…ロッカー装置
２１…ロッカー
２１ａ…電気錠
２２…施解錠装置
２３…制御部（施錠手段，解錠手段，装置側情報制御手段，設定手段，コード生成手段）
２４…記憶部（装置側記憶手段）
２５…表示部（装置側表示手段）
２６…操作部（入力手段）
２７…通信部（装置側通信手段）
３０…サーバ
３１…制御部（サーバ側情報制御手段）
３２…記憶部（サーバ側記憶手段）
３５…通信部（サーバ側通信手段）
４０…携帯端末
４１…制御部（端末側情報制御手段，デコード手段）
４２…記憶部（端末側記憶手段）
４３…撮像部（撮像手段）
４４…表示部（端末側表示手段）
４６…通信部（端末側通信手段）
Ｃ…暗証番号取得用コード
【図１】
2014227677.tif 000003
【図２】
2014227677.tif 000004
【図３】
2014227677.tif 000005
【図４】
2014227677.tif 000006
【図５】
2014227677.tif 000007
【図６】
2014227677.tif 000008
【図７】
2014227677.tif 000009
【図８】
2014227677.tif 000010
【図９】
2014227677.tif 000011
【図１０】
2014227677.tif 000012